(57)【要約】【課題】一般的な携帯端末を利用して表示されたバーコードキーの不正利用を回避できる入場キー管理システムを提供する。【解決手段】建物の入り口に備え付けられたバーコードリーダ１０２は、バーコードキー管理装置１０３とネットワーク接続されている。その建物に入場するときは、携帯端末１０１にバーコードキー管理装置から電子メールで通知されたＵＲＬのバーコードキー画像データをＷｅｂブラウジング機能で表示してバーコードリーダに読み取らせ、バーコードキー管理装置が管理するキーに該当するものがあれば、入り口を開錠する。バーコードキーが開錠に使用されると、バーコードキー管理装置はそのキーデータを即座に破棄し、新規にバーコードキーを生成し、そのバーコードキーが存在するＵＲＬを電子メールで携帯端末に送信する。【選択図】図１
2007197960.tif 000002
【特許請求の範囲】
【請求項１】
電子メール機能およびＷｅｂブラウジング機能を備えた携帯端末と、ゲート又はドアの外に配置されたバーコードリーダと、このバーコードリーダとネットワーク接続され、バーコードキーを管理するバーコードキー管理装置とを備え、
前記バーコードキー管理装置は、登録された電子メールアドレスに対するバーコードキーとそのバーコードキーが存在するＵＲＬを生成し、その電子メールアドレス宛てに生成したＵＲＬを送信する手段と、
バーコードキーの通知をしてきたバーコードリーダのＩＤとバーコードキーのデータを元に、バーコードキーの検証を行い、バーコードキーの使用が正しいと識別された場合、開錠命令を返信する手段とを有し、
前記携帯端末は、電子メールで通知されたＵＲＬのサイトにアクセスし、そこに存在するバーコードキーを表示する手段を有し、
前記バーコードリーダは、携帯端末に表示されているバーコードキーを読み取って、そのバーコードキーをバーコードキー管理装置に送信する手段を有することを特徴とする入場キー管理システム。
【請求項２】
前記バーコードキー管理装置は、バーコードキーの使用が正しいと識別された場合、開錠に使用したバーコードキーは破棄し、新規バーコードキーの作成・登録とそのバーコードキーが存在するＵＲＬの新規作成・登録を行い、開錠に使用されたバーコードキーと関連付けられている電子メールアドレス宛てにＵＲＬを送信することを特徴とする請求項１に記載の入場キー管理システム。
【請求項３】
前記バーコードキー管理装置は、建物のゲートのバーコードキーが使用されると、そのバーコードキーと共に、そのバーコードキーを利用したユーザに応じた各部屋のバーコードキーのＵＲＬを送信することを特徴とする請求項１に記載の入場キー管理システム。
【請求項４】
電子メール機能およびＷｅｂブラウジング機能を備えた携帯端末と、ゲート又はドアの外に配置されたバーコードリーダと、このバーコードリーダとネットワーク接続され、バーコードキーを管理するバーコードキー管理装置とを備えたシステムの入場キー管理方法であって、
前記バーコードキー管理装置は、登録された電子メールアドレスに対するバーコードキーとそのバーコードキーが存在するＵＲＬを生成し、その電子メールアドレス宛てに生成したＵＲＬを送信し、
前記携帯端末は、電子メールで通知されたＵＲＬのサイトにアクセスし、そこに存在するバーコードキーを表示し、
前記バーコードリーダは、携帯端末に表示されているバーコードキーを読み取って、そのバーコードキーをバーコードキー管理装置に送信し、
前記バーコードキー管理装置は、バーコードキーの通知をしてきたバーコードリーダのＩＤとバーコードキーのデータを元に、バーコードキーの検証を行い、バーコードキーの使用が正しいと識別された場合、開錠命令を返信する各ステップを有することを特徴とする入場キー管理方法。
【請求項５】
前記バーコードキー管理装置は、バーコードキーの使用が正しいと識別された場合、開錠に使用したバーコードキーは破棄し、新規バーコードキーの作成・登録とそのバーコードキーが存在するＵＲＬの新規作成・登録を行い、開錠に使用されたバーコードキーと関連付けられている電子メールアドレス宛てにＵＲＬを送信することを特徴とする請求項４に記載の入場キー管理方法。
【請求項６】
前記バーコードキー管理装置は、建物のゲートのバーコードキーが使用されると、そのバーコードキーと共に、そのバーコードキーを利用したユーザに応じた各部屋のバーコードキーのＵＲＬを送信することを特徴とする請求項４に記載の入場キー管理方法。
【発明の詳細な説明】
【技術分野】
【０００１】
本発明は、携帯端末を利用して表示されたバーコードキーの不正利用を回避する入場キー管理システムに関する。
【背景技術】
【０００２】
従来、マンションなどの訪問予約者にキーとなるバーコードを送信し、訪問者はそのバーコードを入場時のキーとして使用するシステムがある（例えば、特許文献１参照）。このシステムでは悪意のある第三者にバーコードキーをコピーされるなどして悪用されることが考えられる。
【０００３】
また、このようなことを想定してセキュリティ機能を施したシステムがある（例えば、特許文献２参照）。このシステムでは、携帯端末はそのセキュリティに特化した特殊な機能を実装する必要がある。
【特許文献１】特開２００４−３６０２００号公報
【特許文献２】特開２００５−１２０５７９号公報
【発明の開示】
【発明が解決しようとする課題】
【０００４】
しかしながら、バーコードをキーとして利用することによりドアや入場ゲートなどの開錠や施錠システムにおいて、バーコードがコピーされたものでも開錠でき、そのような事態に対応したセキュリティを考慮していたとしても、運用を考えたときに端末が専用の機能を実装している必要があった。
【０００５】
そこで本発明は、一般的な携帯端末を利用して表示されたバーコードキーの不正利用を回避できる入場キー管理システムおよび方法を提供することを目的とする。
【課題を解決するための手段】
【０００６】
上述の課題を解決するため、本発明では、建物の入り口に備え付けられたバーコードリーダは、バーコードキー管理装置とネットワーク接続されており、その建物に入場するときはキーとなるバーコードを携帯端末のＬＣＤに表示してバーコードリーダに読み取らせ、バーコードキー管理装置が管理するキーに該当するものがあれば、入り口を開錠する。
【０００７】
このバーコードキーは、バーコードキーの画像データを保持するＵＲＬをＷｅｂブラウジング機能で表示することによって得られるが、このＵＲＬは電子メールによってバーコードキー管理装置から通知されるものである。
【０００８】
バーコードキーが開錠に使用されると、バーコードキー管理装置はそのキーデータを即座に破棄し、同じバーコードキーは使えなくする。その後、新規にバーコードキーを生成し、そのバーコードキーが存在するＵＲＬを電子メールで携帯端末に送信する。これらのバーコードキーおよびＵＲＬはランダムに生成するものである。
【発明の効果】
【０００９】
本発明によれば、部屋へ入るときに必要なバーコードキーを使用する都度、開錠に使用したバーコードキーを破棄し、新規にバーコードキーを作成・登録し、そのバーコードキーが存在するＵＲＬを通知する。このＵＲＬへの参照時に携帯端末のクライアント認証やユーザ認証を行うことにより、第三者によるＵＲＬの参照を回避することが可能である。
【００１０】
また、開錠に使用したバーコードキーとそのバーコードキーが存在するＵＲＬは破棄され新規に作成するため、不正にバーコードキーがコピーされたとしても開錠に使用することは不可能である。
【００１１】
さらに、未使用のバーコードキーをコピーされて開錠に使用されたとしても、それによって新規に生成されたバーコードキーの存在するＵＲＬが電子メールで通知されるため、不正侵入を察知することが可能である。
【００１２】
バーコードキーの表示に特殊な端末は必要なく、一般的な携帯電話を端末として利用可能な点も利点として上げることができる。
【発明を実施するための最良の形態】
【００１３】
次に、本発明の最良の形態について図面を参照して説明する。
【実施例１】
【００１４】
図１は、本実施例のシステム構成を示し、携帯端末１０１と、バーコードリーダ１０２と、バーコードキー管理装置１０３とから構成されている。バーコードリーダ１０２とバーコードキー管理装置１０３はインターネットなどのネットワークを介して相互に接続されている。
【００１５】
携帯端末１０１は、携帯電話やＰＤＡのような持ち運び可能なデバイスを想定しており、電子メール機能およびＷｅｂブラウジング機能を備えている。本発明では、バーコードキー管理装置１０３から送信された電子メールを受信し、その電子メールに記されているＵＲＬをＷｅｂブラウジング機能で表示し、そのＵＲＬに存在するバーコードキーの画像データを表示する。
【００１６】
バーコードリーダ１０２は、ゲートやドアの外に配置されるバーコード読取装置を想定しており、携帯端末１０１が表示するバーコードキーを読み取り、そのバーコードキーのデータをバーコードキー管理装置１０３に通知し、バーコードキー管理装置１０３から開錠命令が返されればドアを開錠する。
【００１７】
バーコードキー管理装置１０３は、各部屋に対応するバーコードキーを管理している。バーコードキー管理装置１０３はデータベースを保持しており、バーコードリーダ１０２と、その部屋に入場が許可されている人の電子メールアドレスと、その部屋に入るためのバーコードキーデータと、そのバーコードキーが存在するＵＲＬを関連付けている。また、バーコードリーダ１０２からバーコードキーが通知されたとき、そのバーコードリーダ１０２に対応するバーコードキーであれば、開錠命令を返す。さらに、バーコードキーの生成とそのバーコードキーが存在するＵＲＬを生成し、電子メールで携帯端末１０１に送信する。
【００１８】
次に、図２を参照して、本実施例の動作について詳細に説明する。
【００１９】
［データ登録・更新時］
部屋の使用の契約を交わす際、その部屋の管理者（管理会社、不動産業者、大家など）に、その部屋を利用する人の携帯端末１０１の電子メールアドレスを伝える。管理者はこのメールアドレスをバーコードキー管理装置１０３に登録する（Ｓ１１）。この作業により、バーコードキー管理装置１０３は、登録された電子メールアドレスに対するバーコードキーを生成・登録し（Ｓ１２）、さらにそのバーコードキーが存在するＵＲＬを生成・登録し（Ｓ１３）、その電子メールアドレス宛てに生成したＵＲＬを送信する（Ｓ１４）。
【００２０】
［入場時］
入室者は部屋に入るとき、電子メールで通知されたバーコードキー管理装置１０３が保持するＵＲＬのサイトにＷｅｂブラウザでアクセスし（Ｓ１５）、バーコードキー管理装置１０３から送信された（Ｓ１６）バーコードキーを表示し（Ｓ１７）、携帯端末１０１に表示されたバーコードキーをバーコードリーダ１０２にかざすことによって、入り口の開錠を試みる。かざされた携帯端末１０１に表示されているバーコードキーを読み取ったバーコードリーダ１０２は、そのバーコードキーをバーコードキー管理装置１０３に通知する（Ｓ１８）。
【００２１】
バーコードキー管理装置１０３は、バーコードキーの通知をしてきたバーコードリーダのＩＤとバーコードキーのデータを元に、バーコードキーの検証を行う（Ｓ１９）。バーコードキーがバーコードキー管理装置１０３のデータベースで保持するキーであり、さらにそのキーが正しい部屋（のバーコードリーダ１０２）で使用されたものであれば、部屋の開錠処理を行うが、そうでなければエラーを返す（Ｓ２０）。バーコードキーの使用が正しいと識別された場合（Ｓ２０）、開錠に使用したバーコードキーは破棄し（Ｓ２１）、新規バーコードキーの作成・登録と（Ｓ２２）、そのバーコードキーが存在するＵＲＬの新規作成・登録を行い（Ｓ２３）、開錠に使用されたバーコードキーと関連付けられている電子メールアドレス宛てにＵＲＬを送信する（Ｓ２４）。
【００２２】
これらの処理によって、バーコードキーを得るためのＵＲＬへの参照時に携帯端末のクライアント認証やユーザ認証などの技術を導入することが可能であり、第三者によるＵＲＬの参照を回避することができる。
【実施例２】
【００２３】
次に、本発明の実施例２について、図３を用いて説明する。
【００２４】
実施例１では、出入り口が１つの部屋を想定したものであったが、本実施例では、会社のように１つのビルの中に複数の部署がある場合や、１つのビルに複数の会社が入っているような、異なる組織が１つのゲートを使用する複数の部屋を内部にもつ建築物を想定している。図３はこれを想定した例を示すものであり、入口としてビルのゲートおよび各部屋のドアが存在し、また、ゲートおよび各部屋にはバーコードリーダ１０２が設置されている状態である。
【００２５】
実施例１では、部屋の開錠にバーコードキーが使用されると、そのバーコードキーが破棄されて新規に生成されたバーコードキーのＵＲＬが送信されるというものであったが、本実施例では、ビルのゲートを開錠するためにバーコードキーを使用すると、ゲートのバーコードキーだけでなく、そのバーコードキーを利用したユーザに応じた各部屋のバーコードキーのＵＲＬが送信されるというものである。
【００２６】
［Ｘ社ａ課社員］
Ｘ社ａ課社員がゲートの開錠を行うと、ゲート用バーコードキーのＵＲＬが新規に送信され、さらにＸ社の部屋とＸ社サーバルームのバーコードキーのＵＲＬが送信される。また、その２つの部屋に入る際にバーコードキーを使用すると、入室した部屋のバーコードキーのＵＲＬが送信される。
【００２７】
［Ｘ社ｂ課社員］
Ｘ社ｂ課社員がゲートの開錠を行うと、ゲート用バーコードキーのＵＲＬが新規に送信され、さらにＸ社の部屋とＸ社サーバルームのバーコードキーのＵＲＬが送信される。また、その２つの部屋に入る際にバーコードキーを使用すると、入室した部屋に対応するバーコードキーのＵＲＬが送信される。
【００２８】
［Ｙ社社員］
Ｙ社社員がゲートの開錠を行うと、ゲート用バーコードキーのＵＲＬが新規に送信され、さらにＹ社の部屋バーコードキーのＵＲＬが送信される。また、Ｙ社の部屋のドアの開錠を行うと、そのドアのバーコードキーのＵＲＬが新規に送信される。
【００２９】
［Ｘ社ｂ課訪問者］
Ｘ社ｂ課の訪問者はあらかじめＸ社ｂ課社員によって携帯端末１０１のメールアドレスを登録されており、それによってバーコードキーのＵＲＬも送信されている。この訪問者がゲートの開錠を行うと、ゲート用バーコードキーのＵＲＬが新規に送信され、さらにＸ社ｂ課の部屋のバーコードキーのＵＲＬが送信される。また、Ｘ社ｂ課の部屋のドアの開錠を行うと、そのドアのバーコードキーのＵＲＬが新規に送信される。
【００３０】
［メンテナンス業者］
ビルのメンテナンス業者は清掃や空調の調整などの業務のため、すべての部屋に入る権限が与えられており、ゲートの開錠を行うと、ゲート用バーコードキーのＵＲＬが新規に送信され、さらにすべての部屋のバーコードキーのＵＲＬが送信される。また、各部屋に入る際にバーコードキーを使用すると、入室した部屋のバーコードキーのＵＲＬが送信される。
【００３１】
以上のように、ゲートの開錠を行うと、ゲートの開錠を行った者の属性に応じて各部屋に入るためのバーコードキーのＵＲＬが送信されるため、建物の外でバーコードキーをコピーされて不正利用されたとしても、その中の各部屋への侵入は回避することができる。また、ビル内にある許可されていない部屋への入室も制限することが可能である。
【産業上の利用可能性】
【００３２】
マンション等の共同住宅やオフィスビル等の入場管理に加え、一般的な携帯電話を端末として利用することにより、不特定多数の人々が利用するホテル等の入場管理にも利用することができる。
【図面の簡単な説明】
【００３３】
【図１】実施例１のシステム構成図である。
【図２】実施例１の動作を説明するシーケンス図である。
【図３】実施例２の説明図である。
【符号の説明】
【００３４】
１０１  携帯端末
１０２  バーコードリーダ
１０３  バーコードキー管理装置
【図１】
2007197960.tif 000003
【図２】
2007197960.tif 000004
【図３】
2007197960.tif 000005